(57)【要約】【課題】パレット上の貨物をパレットからずれないように拘束して荷崩れの防止を図ることができる荷崩れ防止具に関する。【解決手段】この発明の荷崩れ防止具は、パレットに対して上下方向に拘束される上下拘束部と、パレットのコーナー部に掛止められるコーナー掛止部を下部に有して上方へ出力し、パレットのコーナー部上に配置される支柱部と、該支柱部に、貨物に一連に巻き付けて両端で締付け固定する荷崩れ防止用の帯を保持する保持部を設け、前記帯で貨物と支柱部とを共締めしてなることを特徴とする。【選択図】図１
2005289398.tif 000002
【特許請求の範囲】
【請求項１】
パレットに対して上下方向に拘束される上下拘束部と、
パレットのコーナー部に掛止められるコーナー掛止部を下部に有して上方へ出力し、パレットのコーナー部上に配置される支柱部と、
該支柱部に、貨物に一連に巻き付けて両端で締付け固定する荷崩れ防止用の帯を保持する保持部を設け、
前記帯で貨物と支柱部とを共締めしてなることを特徴とする荷崩れ防止具。
【請求項２】
上下拘束部が、パレットの底板を上下で挟み込む断面チャンネル状の拘束片、またはパレットのフォーク差込口に挿入されて上下に拘束される拘束片からなっていることを特徴とする請求項１に記載の荷崩れ防止具。
【請求項３】
保持部が、支柱部で少なくとも左右方向に貫通して荷崩れ防止用の帯を挿通させる孔または隙間からなっていることを特徴とする請求項１に記載の荷崩れ防止具。
【請求項４】
支柱部が、コーナー部に沿って断面アングル状の板材を隙間を隔てて二重に重ねた構造からなっており、前記隙間が荷崩れ防止用の帯を挿入して保持する保持部となり、下部の内壁面がコーナー掛止部となっていることを特徴とする請求項１に記載の荷崩れ防止具。
【請求項５】
支柱部の内壁面で、貨物が衝合する個所に緩衝材が取り付けられていることを特徴とする請求項１または４に記載の荷崩れ防止具。
【請求項６】
支柱部の下端に上下拘束部を有するベース部が設けられており、
該ベース部の裏面に弾性を有するクッション部材が固着されていることを特徴とする請求項１に記載の荷崩れ防止具。
【請求項７】
上下拘束部が、支柱部から一側方に延びると共に先端が略直角に折れ曲がる片からなっており、支柱部のコーナー掛止部をパレットのコーナー部に掛け止める際に、前記上下拘束部の先端の片をパレットのフォーク差込口に挿入しうるようにしたことを特徴とする請求項１、３、４または５のいずれかに記載の荷崩れ防止具。
【発明の詳細な説明】
【技術分野】
【０００１】
この発明は、パレットのコーナー部に配置されてパレット上に積み上げられた貨物がずれないように防止する荷崩れ防止具に関するものである。
【背景技術】
【０００２】
従来、パレットの上に、段ボール容器やケース等の各種の貨物を積み重ねて運搬、保管する場合に、貨物をまとめてロープやベルト等を巻いて締め付けたり、あるいはストレッチフィルムと呼ばれる伸縮自在な樹脂によりパレットと貨物を一緒に巻き固定して荷崩れを防いでいる。
しかし、貨物相互は一体となりやすいが、貨物全体とパレットとの間では拘束手段が無いため輸送時の振動などで外力が加わった際に貨物がスライドしパレットからせり出してしまう虞れがある。
また、ストレッチフィルムの場合、使い捨てのためゴミがその都度発生するし、ストレッチフィルムを巻くのに時間がかかり、繁雑な作業となっていた。
そこで、例えば特開平１１−２０８６５８号の粘着テープ付きコーナー部サポートでは、Ｌ型支柱と、該支柱をパレットに固定するための両面粘着テープとからなる構造が開示されているが、このサポートは段ボールからなりパレットのコーナー部面に下端が接着されるだけであって十分な強度が得られず、フィルムでラッピングするまでの補助的な効果しか得られない。
また、特開２００３−１０４３７３の荷崩れ防止具では、シートまたはネット状の固定具に、荷物の角部寄りの部位に位置する荷崩れ防止バーを取り付けた構造が知られているが、パレットと連結しないため根本的な解決にはならない。
【特許文献１】特開平１１−２０８６５８号  図２参照
【発明の開示】
【発明が解決しようとする課題】
【０００３】
この発明の解決しようとする問題点は、パレットに積み重ねられた多数個の貨物を四隅に配置した支柱部と、その支柱部に通した帯を両端部で締め付け固定することで、パレットと多数個の貨物が一体となり、トラック等の輸送機関による運搬時であってもパレット上の多数個の貨物がスライド移動したり、荷崩れしないようする荷崩れ防止具を提供することにある。
【課題を解決するための手段】
【０００４】
本発明は、上記課題を解決するために、請求項１の発明では、
パレットに対して上下方向に拘束される上下拘束部と、
パレットのコーナー部に掛止められるコーナー掛止部を下部に有して上方へ出力し、パレットのコーナー部上に配置される支柱部と、
該支柱部に、貨物に一連に巻き付けて両端で締付け固定する荷崩れ防止用の帯を保持する保持部を設け、
前記帯で貨物と支柱部とを共締めしてなることを特徴とする。
また、請求項２の発明では、
前記上下拘束部が、パレットの底板を上下で挟み込む断面チャンネル状の拘束片、またはパレットのフォーク差込口に挿入されて上下に拘束される拘束片からなっていることを特徴とする。
請求項３の発明では、
前記保持部が、支柱部で少なくとも左右方向に貫通して荷崩れ防止用の帯を挿通させる孔または隙間からなっていることを特徴とする。
また、請求項４の発明では、
前記支柱部が、コーナー部に沿って断面アングル状の板材を隙間を隔てて二重に重ねた構造からなっており、前記隙間が荷崩れ防止用の帯を挿入して保持する保持部となり、下部の内壁面がコーナー掛止部となっていることを特徴とする。
請求項５の発明では、
前記支柱部の内壁面で、貨物が衝合する個所に緩衝材が取り付けられていることを特徴とする。
更に、請求項６の発明では、
前記支柱部の下端に上下拘束部を有するベース部が設けられており、該ベース部の裏面に弾性を有するクッション部材が固着されていることを特徴とする。
また、請求項７の発明では、
前記上下拘束部が、支柱部から一側方に延びると共に先端が略直角に折れ曲がる片からなっており、支柱部のコーナー掛止部をパレットのコーナー部に掛け止める際に、前記上下拘束部の先端の片をパレットのフォーク差込口に挿入しうるようにしたことを特徴とする。
【発明の効果】
【０００５】
本発明の荷崩れ防止具は、パレットに掛止めることでパレットに連動可能となってパレットのコーナー部で貨物を拘束することができ、また荷崩れ防止用の帯で貨物を締付け、固定することで、貨物と共に荷崩れ防止具も締め付けられて、貨物がパレットに強く拘束されるので、輸送機関による運搬時であってもパレット上の多数個の貨物がスライド移動したり、荷崩れする虞れがない。
また、荷崩れ防止具は荷崩れ防止用の帯を保持するので、荷崩れ防止用の帯の歪みや撚れを防ぐことができ、また荷崩れ防止用の帯の締付けや取外しを容易に行うことができる。
また、この荷崩れ防止具は繰り返し再利用できるため、ゴミが発生しない。
更に、この荷崩れ防止具は、パレットに掛け止め、拘束するだけでよく、荷崩れ防止の帯を締付けるだけなので、一人で短時間に作業ができ、作業効率の向上を図ることができる。
また、クッション部材を裏面に設けることで、床面から貨物に伝わる振動自体を減衰して、荷傷みおよび荷ズレを防止することができる。
【発明を実施するための最良の形態】
【０００６】
荷崩れ防止具をパレットのコーナー部に取り付け、該荷崩れ防止具に保持された荷崩れ防止用の帯で貨物を締め付けることで、パレット上の貨物が荷崩れ防止具に拘束されてパレットから外方向への荷崩れの防止を実現した。
【実施例１】
【０００７】
［荷崩れ防止具］
図１から図３に示す荷崩れ防止具１は、剛性を有する金属製からなっており、プレート状のベース部２と、該ベース部２に一体に形成された上下拘束部３と、前記ベース部２の端部から立設し、下端にコーナー掛止部４を有する支柱部５と、該支柱部５に形成された荷崩れ防止用の帯１５の保持部６とからなっている。
【０００８】
［ベース部］
ベース部２は、矩形の金属板からなっており、荷崩れ防止具１を自立可能としている。
このベース部２の形状は特に実施例に限定されるものではない。
【０００９】
［上下拘束部］
ベース部２の一方の端部に断面チャンネル状の上下拘束部３が形成されている。
この上下拘束部３は、支柱部５をパレットのコーナー部Ｃとなるパレット脚部１２の端部に整合した際に、両面使用型パレットの底板となる下面デッキボード１１に外側から嵌合しうるようになっている。
これにより、上下拘束部３は前記下面デッキボード１１に対して上下方向に拘束されるので、荷崩れ防止具１をパレットに連動可能に連結することができる。
この上下拘束部３は、図２（ａ）に示すように、ベース部２の左側に設け、右側に支柱部５を配置した構成の荷崩れ防止具１と、図２（ｂ）に示すように、ベース部２の右側に設け、左側に支柱部５を配置する構成の荷崩れ防止具（説明の便宜上１’とする）の２種類を用意しておく。
【００１０】
［クッション部材］
また、支柱部５の下側を含むベース部２の裏面には、ゴムなどの弾性を有するブロック状のクッション部材８が一連に固着されている。
このクッション部材８の緩衝により、床面から貨物に伝わる振動自体を減衰するので、荷傷みおよび荷ズレを防止することができる。
【００１１】
［支柱部］
支柱部５は、ベース部２の他方の端部から垂直に立設しており、本実施例の場合、アングル状の板材５ａ、５ｂを隙間Ｓを隔てて二重に重ねた構造からなっている。
この支柱部５は、貨物に作用するパレット１０の外方向へ力を受けるものであり、図示例では、支柱部５の内壁面となる内側の断面アングル状の板材５ａで、貨物の衝合する個所に発泡した合成樹脂などの緩衝材７を固着した構成からなっている。
【００１２】
［コーナー掛止部］
そして、支柱部５の内側の板材５ａの下端が、パレット１０のコーナー部Ｃ、図示例ではパレット脚部１２の端部に沿って掛止められ、縦横に拘束するコーナー掛止部４となっている。
なおこの個所には前記緩衝材７は取着していない。
【００１３】
[保持部］
前記支柱部５の板材５ａ、５ｂ間の隙間Ｓは、荷崩れ防止用の帯１５を通す保持部６として用いられる。
本実施例では、保持部６として、平行に離間する板材間の狭い隙間を用いたが、後述の荷崩れ防止用の帯１５を広げた状態で通すことができる隙間、または孔であればよく、外側が開放された蟻溝状のような形状や、荷崩れ防止用の帯を少なくとも下端で掛け止めて拘束するフック形状のようなものでもよい。
また、支柱部５の板材５ａ、５ｂ間の細い隙間Ｓは、例えば、隙間Ｓの上端を図示しないが溶接やキャップなどで塞ぐことにより、荷崩れ防止用の帯１５が支柱部５から脱抜することを防止しうる（図１参照）。
【００１４】
［荷崩れ防止用の帯］
この発明で用いる荷崩れ防止用の帯１５は、可撓性を有し広面を有する合成樹脂の長尺の帯であって、貨物に横方向に一連に巻き付けて両端で締付け固定する。
本実施例では、繰り返し使用可能な公知の合成樹脂製シートからなり、両端の重ね合わせ部分には面ファスナーＦが取り付けられて着脱可能な帯を用いている。
なお、１６は面ファスナーを引き剥がすための把手である。
この帯１５の素材や構造は上記実施例に限定されず、シート状やネット状、あるいはベルト状のものであってもよい。
【００１５】
［使用例］
荷崩れ防止具１は、図１に示すように、パレット１０の四隅に配置し、支柱部４の下端のコーナー掛止部４をパレットのコーナー部Ｃと整合するように掛止め、それぞれの上下拘束部３をパレットに掛止める。この際に、パレット１０は他の同形状のパレットに中央を合わせて４５度ずらした角度で積み上げ、パレット１０の各コーナー部が浮き上がるようにセットしておくと、荷崩れ防止具１を取り付けやすい。
【００１６】
荷崩れ防止用の帯１５は、各荷崩れ防止具１の保持部６を通ってパレット１０上の周囲を横方向に覆うように配置される。
これにより支柱部４はパレット１０のコーナー部Ｃの上方延長線上に配置され、パレット１０上に多数の段ボールや容器などからなる貨物が縦横且つ上下に積み上げられ、必要に応じて各貨物が接着剤で上下に接着される。
【００１７】
そして、前記帯１５で、前記貨物全体を横方向に拘束して緊締する。
この緊締は、同時に四隅の荷崩れ防止具１をパレット１０の中心方向に拘束することになり、貨物にパレット１０外方向の力が作用しても前記荷崩れ防止具１がこれを受けるので、貨物がパレット１０からずれる虞れがなく、正しい荷姿を維持することができる。
【実施例２】
【００１８】
図４に示す荷崩れ防止具１は、合成樹脂製パレット１０に用いる場合の上下拘束部３の異なる実施例を示す。
この荷崩れ防止具１では、ベース部２を設けず、支柱部４の一側に前記パレット１０のフォーク差込口１３に挿入されて上下に拘束する突片からなる上下拘束部３を設けている。
【００１９】
［上下拘束部］
この上下拘束部３は、支柱部４に基端が固着されて一側方に延びると共に先端３ａが略直角に折れ曲がり、前記パレット１０のフォーク差込口１３に対応する個所で前方（フォーク差込口へ挿入する方向）へ突出するアングル状の突片からなっている。
そして、本実施例では、支柱部５のコーナー掛止部４をパレット１０のコーナー部Ｃに掛止める際に、前記上下拘束部３の先端の片３ａをフォーク差込口１３に挿入すればよいので、パレット１０のコーナー部を前記実施例１のように中空位置に持ち上げる必要が無く、パレット１０は接地状態のままで、荷崩れ防止具１を取り付けることができる。
そして、荷崩れ防止具１は、前記上下拘束部３によってパレット１０に対して上下方向に拘束される。
【００２０】
［支柱部］
支柱部５の構成は、前記実施例１とほぼ同様であり、前記支柱部５の板材５ａ、５ｂ間の隙間Ｓは、荷崩れ防止用の帯１５を通す保持部６として用いられる。
なお、外側の板材５ｂは、内側の板材５ａに対して幅狭に設定してある。これは、内側の板材５ａは、コーナー掛止部４として機能するが、外側の板材５ｂは帯１５を拘束する機能を有すればよいから内側の板材５ａと同じ形状に形成される必要がないためであり、このことは実施例１でも同様である。
そして、この荷崩れ防止具１も前記実施例と同様に、合成樹脂製のパレット１０の四隅に掛止め、帯１５によって貨物と共締めされるので、貨物がパレットからずれることを防止することができる。
【００２１】
上記実施例では、支柱部にアングル状の板材を用いたので下部をそのままコーナー掛止部とすることができたが、コーナー掛止部より上方の形状を例えば平板状や筒状、棒状（丸や角）などとしてもよい。
その他、要するにこの発明の要旨を変更しない範囲で種々設計変更しうること勿論である。
【図面の簡単な説明】
【００２２】
【図１】荷崩れ防止具を用いた使用状態を示す斜視図である。（実施例１）
【図２】（ａ）（ｂ）は図１に用いた一対の荷崩れ防止具の斜視図である。
【図３】荷崩れ防止具の断面図である。（実施例１）
【図４】荷崩れ防止具の異なる実施例を示す斜視図である。（実施例２）
【符号の説明】
【００２３】
１    荷崩れ防止具
２    ベース部
３    上下拘束部
４    コーナー掛止部
５    支柱部
６    保持部
１０    パレット
１１    下面デッキボード
１２    パレット脚部
１３    フォーク差込口
１５    荷崩れ防止用の帯
【図１】
2005289398.tif 000003
【図２】
2005289398.tif 000004
【図３】
2005289398.tif 000005
【図４】
2005289398.tif 000006